(57)【要約】【課題】揮発性有機化合物（ＶＯＣ）の除去に適した空気循環装置を提供する。【解決手段】ハウジング３の内部に、ファン１２により吸引された空気を加熱する熱を供給する燃焼室５と、燃焼室５の前方の吹出口６の断面をほぼ覆う触媒ユニット３０と、触媒ユニット３０と燃焼室５の間の流路に水分７５を供給するように設けられた加湿装置５０とを有する空気循環装置１を提供する。高温の状態で水分７５を供給することにより、高温多湿の空気７３を効率良く生成して建物６０の内部を循環させると共に、触媒ユニット３０に高温の状態の空気を通してそれに含まれるＶＯＣ７９を分解除去する。したがって、建物６０の内部の空気を加熱し、換気する工程を高頻度で繰り返さなくても、建物内部の空気を循環させながら建材６１からＶＯＣ７９を効率良く放出させ、それを除去することができ、低コストで、短期間にＶＯＣ７９を除去できる。【選択図】        図１
2005021729.tif 000002
【特許請求の範囲】
【請求項１】
加熱用の熱源と、加湿機構と、
吸引した空気を前記熱源および加湿機構により高温多湿化して吐出口から出力するための流路と、
前記流路の中の、水の脱着温度以上の触媒反応に適した温度領域に当該流路を通過する空気と接触するように配置された触媒ユニットとを有する空気循環装置。
【請求項２】
請求項１において、前記流路には、空気が流れる方向に沿って、前記熱源、前記加湿機構および前記触媒ユニット、または、前記熱源、前記触媒ユニットおよび前記加湿機構の順番で配置されている空気循環装置。
【請求項３】
請求項１において、前記触媒ユニットは、前記流路を流れる空気全体と接するように配置されている空気循環装置。
【請求項４】
建物内の空気を吸引して加熱および加湿して循環する際に、加熱および加湿する過程で水の脱着温度以上の触媒反応に適した温度で触媒を通した高温多湿化された空気で、建物内を循環する工程を有する、建物内から揮発性有機化合物を除去する方法。
【請求項５】
請求項４において、前記循環する工程では、吸引された空気が、熱源、加湿機構および触媒ユニットまたは、前記熱源、前記触媒ユニットおよび前記加湿機構の順番に通過して高温多湿化される、建物内から揮発性有機化合物を除去する方法。
【発明の詳細な説明】
【０００１】
【発明の属する技術分野】
本発明は、建材などから放出されるホルムアルデヒド等の揮発性有機化合物の除去に関するものである。
【０００２】
【従来の技術】
近年、建築物に使用される建材に含まれているホルムアルデヒドなどの揮発性の化学物質、つまり揮発性有機化合物（ＶＯＣ）は、シックハウス症候群等の原因と言われている。このため、建物を施工主に引き渡す前に、その要因であるＶＯＣを除去し、濃度を規定数値内に低下させることが望まれている。
【０００３】
【特許文献１】
特開２００１−１９３９７４号公報
【０００４】
【発明が解決しようとする課題】
しかしながら、そのＶＯＣ除去作業に要する手間と期間が問題となり、建物の工期に十分に効果のあるＶＯＣ除去作業を含めて計画することが難しく、実際にＶＯＣが十分に除去された状態で建物を引き渡すことは難しい。
【０００５】
真夏の高温多湿の条件で建物から放出されるＶＯＣの濃度が高くなることから、建物からＶＯＣを効率良く除去するためには、建物内の雰囲気を高温に加え多湿にすることが望ましいと考えられる。しかしながら、真夏の湿度の高い状況下などでなければ自然の状態では、そのような条件を実現することが難しく、さらに、真夏でも、３５度以上で湿度７０パーセント以上といった高温多湿の状況になるのは昼間の限られた時間帯に過ぎない。そのような真夏に合わせて建築時期を決定し、さらに、真夏の長期間を費やしてＶＯＣ除去を行うといったスケジュールを組めることは稀である。
【０００６】
したがって、多くの建物では、その内部からＶＯＣを除去するためには、ＶＯＣを放出するための時間を設けるしかなく、長期間、窓を開けた状態で放置することが行われる。このため、ＶＯＣの濃度が一定レベル以下に下がるのに長時間を要し、建物の工期に大きな影響を与え、短納期が要求される昨今の実情には合致しない。さらに、長期間放置することによりＶＯＣの濃度が下がったといっても、真夏の昼間のような高温多湿の状態になると再び建物から放出されるＶＯＣの濃度は上がることが予想され、長時間を費やして建物内からＶＯＣを除去しても、建築工期に影響を与えるだけで効果が少ないことが多いので積極的にＶＯＣ除去が行われない。
【０００７】
特開２００１−１９３９７４号公報には、暖房装置を建物内に持ち込んで建物内部の状態を強制的に高温にし、加湿器で湿度を上げ、そして、室内が高温になったら窓を開放したり換気扇を回すことにより強制的に換気し、再び窓を閉じて室内を高温にするという作業を繰り返すことによりＶＯＣの除去効率を上げることが記載されている。このような、建物内の温度を上げてＶＯＣを除去するベイクアウトと言われる手法を採用することにより、夏場以外でも、室内を高温にしてＶＯＣを効率良く除去できるはずである。
【０００８】
しかしながら、住宅の一部屋などの限られた空間であれば、比較的短時間で高温にすることができるかもしれないが、住宅全体、あるいは体育館などの大きな内容積を持つ建物の内部を高温さらには多湿にすることは容易ではなく時間がかかる。また、強制換気した後に、室内の温度および湿度が低下した状態から再び高温多湿にするために要するエネルギーは小さくなく、燃料あるいは電気代の費用が膨大になる。
【０００９】
さらに、真夏と同じ環境で、さらに、ＶＯＣ濃度が高い状態で住宅や体育館の窓を開け閉めする作業もそれほど容易なことではない。したがって、強制的に高温多湿化する方法を採用しても、工期の短縮効果はそれほどなく、逆に、燃料を大幅に消費するために工費は上がり、また、窓の開け閉めを手動で行おうとすると作業員が常駐していないといけないので、それによる工費の上昇もある。したがって、上記のような換気を繰り返すことによりＶＯＣを除去する方法は現実的には採用しがたい。
【００１０】
高温多湿化の状態でＶＯＣを除去できれば、常温から高温多湿化するプロセスを省略でき、換気を行うとしてもその回数を削減できるので燃料消費を少なくできる。また、窓の開け閉めも不要になったり、換気を行うとしてもその回数が大幅に減るので作業員の手を煩わせることはなく、昼夜を通したＶＯＣ除去作業が可能となる。しかしながら、フィルタなどによりＶＯＣを吸着除去しようとすると、高温環境下では吸着効率が低下するので、効率良くＶＯＣを除去できない。また、多湿化することにより結露も発生しやすい状態となるので、吸着面積が減ってしまう可能性もあり、この点からも効率良くＶＯＣを除去することが難しい。
【００１１】
そこで、本発明においては、短期間に、低コストでＶＯＣを除去できる装置および方法を提供することを目的としている。また、ＶＯＣの除去作業における作業員の労力を軽減し、昼夜作業も可能にすることを目的としている。そして、建築工期にＶＯＣの除去作業を無理なく組み込みできるようにすることを目的としている。
【００１２】
【課題を解決するための手段】
このため、本発明においては、建物内の空気を吸引して加熱および加湿して循環すると共に、その際に、加熱および加湿する過程で水の脱着温度以上の触媒反応に適した温度領域に触媒ユニットを設置し、触媒を通した高温多湿化された空気で建物内を循環する工程を有する、建物内から揮発性有機化合物を除去する方法を提供する。建物内に、暖房器具と加湿器とを個別に設置したのでは、加湿器の容量が大きくても、最大で加湿器近傍の室温の飽和蒸気圧以下までしか加湿することができず、湿度を上げるのに時間がかかる。これに対し、加熱と加湿を共に、ほとんど同時に行うことにより、建物内の温度を上げるために、建物内の空気が加熱された状態で加湿でき、室温の飽和蒸気圧以上に水分を含んだ高温多湿の空気を室内に供給でき、建物内の条件を急速に高温多湿化できる。
【００１３】
さらに、加熱と加湿を共に、ほとんど同時に行う場合は、室温程度では高温多湿の空気となる場合であっても、加熱された状態では湿度がそれほど高くない条件の空気が存在する。そして、触媒であれば、そのような高温で水の脱着温度（蒸発温度）以上、例えば１００度から数１００度程度の条件で活性化され、湿度の影響を受けずに揮発性有機化合物（ＶＯＣ）を分解除去することができる。水の脱着温度以上であれば、基本的には触媒反応に空気に含まれる水分は影響しないので、触媒ユニットに対して加湿機構は、上流すなわち熱源の方向、あるいは下流、すなわち、吹き出し側の方向のいずれにも設置できる。したがって、本発明の循環する工程では、吸引された空気が、加熱用の熱源、加湿機構および触媒ユニットまたは、熱源、触媒ユニットおよび加湿機構の順番に通過して高温多湿化された空気を巡回させる。
【００１４】
このＶＯＣの除去方法であれば、高温多湿化された空気を巡回しながらその空気に含まれるＶＯＣを効率良く除去できる。このため、ＶＯＣの除去中の換気は基本的に不要となる。熱源に液体燃料などの適当な燃料を燃焼させる方式を採用する場合は、燃焼用空気を確保するための最低限の換気で済む。さらに、微量の燃焼用空気だけを建物の外から流入しても良い。したがって、換気を行うとしてもその回数を大幅に減らすことができるので、作業員の手を煩わせることはなく、昼夜を通したＶＯＣ除去作業が可能となる。また、室内の条件を高温多湿で維持できるので、室温を上げ、また、湿度を上げるために費やされる時間は大幅に少なくなる。このため、ＶＯＣの除去作業に要する時間は短くなり、さらに、昼夜継続して除去作業を行えるので実質的に除去作業に費やされる日数は大幅に短縮される。また、高温多湿で室内を維持できるので、燃料や電気代を大幅に低減でき、除去作業に必要となるコストは大幅に低減される。
【００１５】
さらに、高温で活性状態となる触媒によりＶＯＣを除去するので、吸着反応を利用するフィルタなどとは異なり、高温環境下では除去効率が増加する。また、高温環境下に触媒ユニットを設置することにより水分による影響もなく、ＶＯＣを分解除去できる。さらに、ＶＯＣの濃度が低い高温多湿の空気を建物内に巡回できるので、建材からのＶＯＣの放散を促進でき、この点でもＶＯＣを除去する時間を短縮できる。また、換気を行うとしてもＶＯＣが充満した環境での作業にはならないので作業員の労力を軽減できる。
【００１６】
そして、本発明の除去方法であれば、高湿化しやすいので、最もＶＯＣが放出されやすいと考えられている真夏の高温多湿の条件で建物内を長時間維持でき、その状態でＶＯＣの濃度を測定してＶＯＣが除去されたか否かを判断できる。したがって、ＶＯＣの除去作業を行ったにもかかわらず、建物を引き渡した後に真夏を迎えた際に、建物内のＶＯＣ濃度が高くなってしまうという事態の発生を未然に防止でき、信頼性の高い除去作業を行うことができる。
【００１７】
加熱用の熱源、加湿用の機構および触媒ユニットを個別に用意して近傍に配置し、循環用のファンなどでこれらの装置を適宜室内の空気が通過するようなアレンジを行っても良い。しかしながら、限られた流路を設定せずに、加熱された空気を効率良く加湿用の機構や触媒ユニットに導くことは難しく、室内を高温多湿化する効率、放出されたＶＯＣを除去する効率という点では満足がいくものにならない可能性がある。このため、本発明においては、さらに、加熱用の熱源と、加湿機構と、ファンなどにより吸引した空気を熱源および加湿機構により高温多湿化して吐出口から出力するための流路と、その流路の中の、水の脱着温度以上の触媒反応に適した温度領域に当該流路を通過する空気と接触するように配置された触媒ユニットとを有する空気循環装置を提供する。熱源と、加湿機構と触媒ユニットとを１つの空気循環装置に組み込むことにより、それらの間に空気が効率良く流れる流路を設けることができ、高温多湿でＶＯＣが除去された空気を出力して建物内を循環させることができる。
【００１８】
水の脱着温度以上であれば触媒反応に水分の影響はない。したがって、流路には、空気が流れる方向に沿って、熱源、加湿機構および触媒ユニット、または、熱源、触媒ユニットおよび加湿機構の順番で配置できる。また、触媒ユニットは、流路を流れる空気全体と接するように配置することにより、ＶＯＣの除去効率をさらに高めることができる。
【００１９】
１００度（℃）から数１００度（℃）程度でＶＯＣを除去する性能を発揮する触媒としては、白金、パラジウム、ルテニウムなどがあり、高温多湿と言ども建物内部の温度は３５℃程度であり、触媒を活性化するには不十分な温度であるが、空気循環装置の内部であれば、燃焼あるいは電気を用いた熱源から出力された高温の空気に触媒ユニットを晒すことにより、触媒を活性化しＶＯＣを除去できる。
【００２０】
【発明の実施の形態】
図１に、本発明に係る空気循環装置により建物内のＶＯＣを除去する概要を示してある。また、図２に、触媒ユニットを有する本発明の空気循環装置１の概要を拡大した断面図により示してある。本例の空気循環装置１は、ほぼ筒状のハウジング３の内部に、筒状の燃焼室５が同軸Ｌ状に組合わされ、燃焼室５で燃料が燃焼し、その発熱を熱源としてハウジング３にファン１２により吸引された空気を加熱して出力する。本例の循環装置１では、燃焼室５から出力された高温の排気７１が燃焼室５の周囲をバイパスした外気７２とハウジング３の燃焼室５の前方の領域３９で混合されて３００℃程度の温風７３が生成される。
【００２１】
燃焼室５の前方（吹出口６の側）に、ＳＵＳ製のパンチングメタル等による多孔性の輻射板４０を挟んで、吹出口６の断面をほぼ覆うように、外観が円盤状でハニカム状の触媒ユニット３０が取付けられている。さらに、触媒ユニット３０と輻射板４０の間で、燃焼室５から吐出口６のまで空気７２が流れる流路となるハウジング３の内部のスペース３９に、加湿装置５０が設けられている。この加湿機構５０は、水タンク５１に蓄えられた水分７５をヒータで蒸発させたり、超音波を用いてミスト化して出力することにより、温風７３に水分７５を供給する。したがって、３００℃程度の温風７３がハウジング３から吹き出されて３０℃から３５℃程度の室温に温度が低下すると高温多湿な状態が得られる。
【００２２】
触媒ユニット３０は、高温の温風７３や輻射板４０の輻射熱により３００℃程度に維持され、ＶＯＣ７９を分解する。また、この程度の温度は、触媒において水分の脱着温度（蒸発温度）以上であり触媒反応に水分の影響はない。したがって、加湿された空気が供給されていても水分の影響はなく、高効率で温風に含まれるＶＯＣ７９を分解除去する。
【００２３】
したがって、図１に示すように、本例の空気循環装置１を体育館のように広い建物内６０に設置することにより、空気循環装置１の内部で高温多湿になり、さらに空気循環装置１に設けられた触媒ユニット３０によりＶＯＣが除去された空気７３を放出して建物内を巡回させることができる。このため、建物６０の内部を高温多湿の建材６１に含まれているホルムアルデヒド等のＶＯＣ（揮発性有機化合物）７９の放出を促進させる条件にすると共に、室内の空気に含まれたＶＯＣ７９を、室内の空気７２と共に取込んで、触媒ユニット３０によりＶＯＣ７９を分解・除去できる。
【００２４】
空気循環装置１について、さらに詳細に説明する。空気循環装置１は、ハウジング３の後方に吸引用のファン（送風機）１２が配置されており、外気（室内の空気）７２をハウジング３の内部に供給する。ハウジング３の内部に供給された外気は、一部がブロワ１１によりブーストアップされて燃焼室５に供給され燃焼用の空気となる。また、残りはハウジング３と燃焼室５との隙間４を通って燃焼室５を外側から冷却しながらハウジング３の前方に供給される。燃焼室５の後端５ｂにバーナ８が配置されており、燃料タンク２から供給され噴霧された油などの燃料７０を燃焼室５の内部で火炎１９を作りながら燃焼する。燃焼により生成される燃焼ガス７１は、燃焼室５の前方の多孔性の輻射板４０を介してハウジング３の風路３９に出力され、燃焼室５をバイパスした空気７２と混合されて温風７３が生成される。輻射板４０は炎止めを兼ねており、燃焼室５における燃えきりを促進すると共に、燃焼室５からハウジング３へ火炎１９が露出するのを防止している。
【００２５】
燃焼室５の前方の領域３９に加湿機構５０が配置されている。加湿機構５０としては、上述したように沸騰式、超音波噴霧式などが採用できる。混合された温風７３の温度は、燃焼室５の前方の領域３９ではかなり高く、少なくとも３００℃程度あるいはそれ以上であり、温風を吹き出した後の室温、例えば、３５℃程度でほぼ飽和状態になるような水分量を、結露させたり、温風７３の温度を低下させたりせずに注入することができる。また、この領域３９の温風７３が高温なので、沸騰させて水蒸気にしたり、超音波により微細なミスト状態にしなくても、ノズルにより単に水を噴霧したり、水を滴下する程度の簡易構成の加湿機構であっても、支障なく、高温多湿の空気を出力するために十分な水分を温風７３に供給できる。したがって、本例の空気循環装置１は、低コスト、低エネルギーで大量の水分を含んだ温風を供給するのに適した構成となっている。
【００２６】
燃焼室５の前方には、さらに、触媒ユニット３０が配置されており、本例の空気循環装置１では、風路３９の温風７３が通過する断面全域をほぼカバーするように配置されている触媒ユニット３０が配置されている。このため、空気循環装置１から出力される全ての温風７３が一旦、触媒ユニット３０と接触し、触媒ユニット３０を温風で加熱すると共に、触媒ユニット３０が担持する触媒作用を受けてから外部に出力される。さらに、触媒ユニット３０は、燃焼室５の前方の輻射板４０からの輻射熱により高温になる。したがって、ＶＯＣ７９を含む外気７２がファン１２により空気循環装置１に導入された場合は、燃焼空気に含まれたものは燃焼によりＶＯＣ７９が分解除去され、燃焼室５をバイパスしたＶＯＣ７９は触媒ユニット３０で分解・除去される。触媒ユニット３０は、温風と輻射熱により３００℃程度に熱せられているので、活性温度に達していると共に、加湿機構５０からの水分７５が蒸発していない状態で触媒ユニット３０に達したとしても触媒ユニット３０の燃焼室側の面３０ａで蒸発してしまい、水分７５により触媒作用を妨げることはない。空気循環装置１が稼動している最中は、水分の影響は全くないと言って良いが、空気循環装置１をスタートしたときやストップしたときは、水分の影響がないとは言えない。したがって、触媒ユニット３０としては、湿度に対抗性のあるものを選択することが望ましい。
【００２７】
触媒ユニット３０としては、白金、パラジウム、ルテニウム等を含む金属（触媒）そのものであっても良いが、多く場合は、そのような金属が触媒としてハニカム構造あるいは他の多孔構造の金属あるいはセラミックの担体に担持されたものが用いられている。
【００２８】
図３に示すように、ステップ９１において、建物６０の内部に空気循環装置１を設置して稼動することにより建物６０の内部が高温多湿化され、建物６０の内部の空気が空気循環装置１を循環するのでＶＯＣ除去作業が開始される。建物６０の内部に設置される空気循環装置１は一台に限定されることはなく、建物６０の大きさや構造を考慮して、複数の空気循環装置１を配置することができる。空気中に含まれるＶＯＣ７９の濃度は、空気循環装置１のファン１２の上流の外気吸い込み口１３でモニタすることができる。この位置にセンサ５８またはモニタリング装置５９を取付けておくと、建物６０の内部を循環して建材６１の表面に晒された空気７２に含まれるＶＯＣ７９を精度良く検出することができる。
【００２９】
検出されるＶＯＣ７９のレベルをステップ９２で検出すると、ＶＯＣ７９のレベルが建材６１からのＶＯＣ７９の放出が促進されて、一端上昇した後に低下する。したがって、ＶＯＣ７９の濃度が一端上昇した後に、所定のＶＯＣ７９の濃度まで低下したと判断されると、空気循環装置１を止めてＶＯＣ除去作業を終了する。このＶＯＣ除去作業においては、真夏と同様の高温多湿の環境でＶＯＣ７９の濃度を測定しながら作業を続けることができる。したがって、本例の空気循環装置１を用いてＶＯＣ除去が終了したと判断されれば、建物６０を引き渡した後の夏に建物内が同じような条件になってもＶＯＣ７９の濃度は、除去作業の終了時のレベル程度までしか上がらない。このため、ＶＯＣ除去作業を行ったにもかかわらず、夏場になるとＶＯＣ７９のレベルが急上昇するというような事態は防止できる。また、高温多湿の環境でＶＯＣ７９の濃度を検出するので、冬場などの低温の状態では、ＶＯＣ除去作業の最中にＶＯＣ除去作業の開始時までＶＯＣ７９の濃度が低下しない場合もある。しかしながら、高温多湿の条件で所定の濃度レベルに到達すれば、室温が低下した後のＶＯＣ７９の濃度はＶＯＣ除去作業前に比較すると格段に低下することになる。
【００３０】
したがって、本発明の空気循環装置１には、ＶＯＣ濃度を検出し、一旦、濃度が上がって第１の設定値を超え、その後にＶＯＣ濃度がその第１の設定値または異なる第２の設置値以下になればＶＯＣ除去作業が完了したと判断して、空気循環装置１を止めるような機構を備えた制御装置を設けたり、そのような制御方法を採用することが有効である。そして、ステップ９２のような判断工程を備えたＶＯＣ除去方法は有効である。
【００３１】
本例の空気循環装置１を用いたＶＯＣ除去作業では、高温多湿の空気（温風）７３を空気循環装置１から供給し、建物６０の内部の空気７２を循環ながら、ＶＯＣを触媒により効率的に分解除去する。したがって、建材から放出されたＶＯＣを建物６０の内部から除去するために換気を行う必要は原則としては不要であり、一旦、建物６０の内部が高温多湿のＶＯＣの放出が促進される状態になれば、その状態を維持するだけでＶＯＣを継続的に放出させ、放出されたＶＯＣを継続的に触媒により分解除去できる。このため、室内の温度を上げるプロセスと、室内を換気するプロセスを何度も繰り返す必要はなく、室内の温度を上げるプロセスのために費やされる時間と燃料その他の費用とを大幅に削減できる。
【００３２】
また、ＶＯＣの濃度が上がった状態で窓やドアを開けて換気する作業も基本的には不要になるので、そのために費やされる作業員の労力と費用も削減できる。さらに、換気が不要なので、作業員が徹夜して監視する体制をとらなくても、昼夜連続でＶＯＣ除去作業を行うことが可能となる。本例の空気循環装置１を用いたＶＯＣ除去作業ではその最中に換気することを否定するものではなく、急激にＶＯＣ濃度が上がって触媒により分解除去されるのを待つよりは、換気を行った方がトータルの作業時間およびコストが低いと判断されれば換気することが望ましい場合もある。しかしながら、ＶＯＣ除去作業中に発生するトータルの換気回数は空気循環装置１を採用することにより大幅に減らすことができ、短期間、低コストで、確実にＶＯＣを除去することができる。
【００３３】
なお、図２に示した空気循環装置１は、本発明の一例であり、この構成に限定されるものではない。例えば、上記では燃料を燃焼して空気を加熱する熱源としているが、電気ヒータを熱源として採用しても良い。燃焼式の熱源を採用している場合は、長時間の連続運転を継続するため、燃焼用空気を確保する必要がある。密閉性の低い建物であれば、隙間の換気により十分かもしれない。また、密閉性の高い建物であれば、燃焼用空気を確保するために換気することが要求されるかもしれない。その場合の換気回数はＶＯＣ濃度ではなく、二酸化炭素または一酸化炭素の濃度によって手動あるいは自動で換気することができる。さらに、建物全体の容量を比較すれば微量の燃焼用空気を確保するために燃焼用空気を建物外から適当なパイプまたはダクトシステムで供給しても良い。または、全熱交換器のような建物内の温度を低下させない方式を経由して、建物方から内部に流入させても良い。
【００３４】
また、加湿機構５０は触媒ユニット３０の吹出口６の側であっても良い。しかしながら、未蒸発あるいは未揮発の水分があっても高温の触媒ユニット３０により蒸発する効果を考慮すると、図２に示した構成が望ましいと考えられる。
【００３５】
さらに、上記の例では送風ファン１２、燃焼室５およびハウジング３が同軸に配置されているが、これらのアレンジも本発明を限定するものではない。
【００３６】
【発明の効果】
以上に説明したように、本発明の空気循環装置は、ハウジングの内部に、ファンにより吸引された空気を加熱する熱を供給する燃焼室と、燃焼室の前方の吹出口をほぼ覆うように配置された触媒ユニットと、触媒ユニットと燃焼室の間の流路に水分を供給するように設けられた加湿機構とを有し、熱源により空気を加熱すると共に、加熱された状態で加湿機構により水分を付加して大量の高温多湿な温風を効率的に生成して建物内を循環できるようにする。それと共に、高温多湿の空気を供給する前に、高温の状態で触媒ユニットを通過させることにより、水分の影響を避けながら触媒ユニットを用いてＶＯＣを分解除去できるようにしている。したがって、本発明により、建物の内部の空気を加熱し、換気する工程を高頻度で繰り返さなくても、建物内部の空気を循環させながら建材からＶＯＣを効率良く放出させ、それを除去することができる。このため、加熱と換気を繰り返す手間、時間および燃料費を削減することができ、短期間、低コストでＶＯＣを確実に除去することが可能となる。
【図面の簡単な説明】
【図１】本発明の空気循環装置を建物の内部に設置してベイクアウトの作業を行う様子を示す図である。
【図２】本発明に係る空気循環装置の概略構成を示す図である。
【図３】本発明に係る空気循環方法（ＶＯＣ除去）を示すフローチャートである。
【符号の説明】
１    空気循環装置
３    ハウジング
５    燃焼室
６    温風の吹き出し口
１２    送風ファン
３０    触媒ユニット
３９    風路
４０    輻射板
５０    加湿装置
６０    建物
【図１】
2005021729.tif 000003
【図２】
2005021729.tif 000004
【図３】
2005021729.tif 000005